(57)【要約】【課題】車両の内装材の折れを防止できる分割補強材の接続構造を提供する。【解決手段】車両の内装材３の裏面側３Ａに配設される分割補強材の接続構造であって、少なくとも、長尺の第１分割補強材５と、長尺の第２分割補強材７とが備えられ、第１分割補強材には、長尺方向の一端部に鈎状の突出部９が備えられ、突出部は、第１分割補強材の一面から立ち上がる形態の立ち上がり部１１と、立ち上がり部から延びるとともに、立ち上がり部の立ち上がり方向に対して曲がった屈曲部１３と、が備えられ、第２分割補強材には、長尺方向の一端部に、屈曲部を挿入可能な開口部１５（又は切り欠き部）が備えられ、開口部又は切り欠き部に第１分割補強材の屈曲部が挿入されて、開口部（又は切り欠き部）の先端側縁部１５Ａに突出部が係止され、第１分割補強材の突出部よりも先端側の上面部５Ａは、開口部又は切り欠き部の後端側縁部１５Ｂの下面部１５Ｃに重なり合っている。【選択図】図５
2015140092.tif 000002
【特許請求の範囲】
【請求項１】
車両の内装材の裏面側に配設され、複数に分割された分割補強材の接続構造であって、
少なくとも、長尺の第１分割補強材と、長尺の第２分割補強材とが備えられ、
前記第１分割補強材には、長尺方向の一端部に鈎状の突出部が備えられ、
前記突出部は、前記第１分割補強材の一面から立ち上がる形態の立ち上がり部と、前記立ち上がり部から延びるとともに、前記立ち上がり部の立ち上がり方向に対して曲がった屈曲部と、が備えられ、
前記第２分割補強材には、長尺方向の一端部に、前記第１分割補強材の前記屈曲部を挿入可能な開口部又は切り欠き部が備えられ、
前記第２分割補強材の前記開口部又は前記切り欠き部に前記第１分割補強材の前記屈曲部が挿入されて、前記第２分割補強材の前記開口部又は前記切り欠き部の先端側縁部に前記突出部が係止され、
前記第１分割補強材の突出部よりも先端側の上面部は、前記第２分割補強材の前記開口部又は前記切り欠き部の後端側縁部の下面部に重なり合っていることを特徴とする分割補強材の接続構造。
【請求項２】
前記第１分割補強材が前記内装材の裏面側に予め取り付けられた状態で、前記第２分割補強材が取り付けられ、
前記立ち上がり部と、前記屈曲部と、は鈍角にて斜めの位置関係とされていることを特徴とする請求項１に記載の分割補強材の接続構造。
【請求項３】
前記突出部は、前記第１分割補強材に１つ設けられていることを特徴とする請求項１又は２に記載の分割補強材の接続構造。
【発明の詳細な説明】
【技術分野】
【０００１】
本発明は、分割補強材の接続構造に関し、さらに詳しくは、上下両方向からの荷重に対しても補強材の剛性を高めることができ、車両の内装材の折れを防止できる分割補強材の接続構造に関する。
【背景技術】
【０００２】
従来から、車両の内装材の裏面側には、内装材の剛性を上げて補強するための補強材が設けられている。例えば、この補強材としては、樹脂成形体等が知られており、通常、内装材に対してホットメルト等の接着剤を用いて固定されている。
ところで、内装材に対して、長尺の補強材を用いた場合には、内装材と補強材との熱膨張率が異なるため、これらの温度変化によって熱膨張や熱収縮が生じたときには、両者の膨張量や収縮量に差が生じる。一般的に、補強材には、内装材よりも熱膨張率の大きい材料（樹脂等）が使用されるため、補強材の膨張量や収縮量が内装材よりも大きくなり、その結果、内装材に折れが発生するおそれがある。
そこで、上記問題を解決する技術として、図２２の符号１０１、１０３に示すように、長尺の補強材を複数に分割し、長手方向に隙間を設けて配設することが提案されている（例えば、特許文献１等参照）。
しかしながら、このものでは、内装材１００が図２３に示すように、下側面が凸になる方向への荷重が掛かった場合に、分割された補強材１０１、１０３の接続部位の剛性が弱くなるおそれがある。その結果、内装材の製造工程や、内装材の車両への組付工程で、内装材の取り回しの際に折れが発生するおそれがある。
【先行技術文献】
【特許文献】
【０００３】
【特許文献１】特開２０１０−２３６９４号公報
【発明の概要】
【発明が解決しようとする課題】
【０００４】
本発明は、上記現状に鑑みてなされたものであり、上下両方向からの荷重に対しても補強材の剛性を高めることができ、車両の内装材の折れを防止できる分割補強材の接続構造を提供することを目的とする。
【課題を解決するための手段】
【０００５】
上記問題を解決するために、請求項１に記載の発明は、
車両の内装材の裏面側に配設され、複数に分割された分割補強材の接続構造であって、
少なくとも、長尺の第１分割補強材と、長尺の第２分割補強材とが備えられ、
前記第１分割補強材には、長尺方向の一端部に鈎状の突出部が備えられ、
前記突出部は、前記第１分割補強材の一面から立ち上がる形態の立ち上がり部と、前記立ち上がり部から延びるとともに、前記立ち上がり部の立ち上がり方向に対して曲がった屈曲部と、が備えられ、
前記第２分割補強材には、長尺方向の一端部に、前記第１分割補強材の前記屈曲部を挿入可能な開口部又は切り欠き部が備えられ、
前記第２分割補強材の前記開口部又は前記切り欠き部に前記第１分割補強材の前記屈曲部が挿入されて、前記第２分割補強材の前記開口部又は前記切り欠き部の先端側縁部に前記突出部が係止され、
前記第１分割補強材の突出部よりも先端側の上面部は、前記第２分割補強材の前記開口部又は前記切り欠き部の後端側縁部の下面部に重なり合っていることを要旨とする。
請求項２に記載の発明は、請求項１記載において、
前記第１分割補強材が前記内装材の裏面側に予め取り付けられた状態で、前記第２分割補強材が取り付けられ、
前記立ち上がり部と、前記屈曲部と、は鈍角にて斜めの位置関係とされていることを要旨とする。
請求項３に記載の発明は、請求項１又は２記載において、前記突出部は、前記第１分割補強材に１つ設けられていることを要旨とする。
【発明の効果】
【０００６】
本発明の分割補強材の接続構造では、第１分割補強材には、長尺方向の一端部に鈎状の突出部が備えられている。突出部は、立ち上がり部と、立ち上がり部から延びるとともに、立ち上がり部の立ち上がり方向に対して曲がった屈曲部と、が備えられている。一方、第２分割補強材には、長尺方向の一端部に、第１分割補強材の屈曲部を挿入可能な開口部又は切り欠き部が備えられている。
そして、第２分割補強材の開口部又は切り欠き部に第１分割補強材の屈曲部が挿入されて、第２分割補強材の開口部又は切り欠き部の先端側縁部に突出部が係止されている。更に、第１分割補強材の突出部よりも先端側の上面部は、第２分割補強材の開口部又は切り欠き部の後端側縁部の下面部に重なり合っている。
このような構造では、内装材の下方からの荷重に対しては、内装材が上方に凸状に曲げられる力を受けることになる。この場合において、本発明の分割補強材の接続構造では、第１分割補強材の突出部は、第２分割補強材の開口部又は切り欠き部に引っ掛けられるようにして、開口部又は切り欠き部の先端側縁部に係止されているから、第１分割補強材と第２分割補強材とが分離しにくくなる。
一方、内装材の上方からの荷重に対しては、内装材が下方に凸状に曲げられる力を受ける。本発明の分割補強材の接続構造では、第１分割補強材の突出部よりも先端側の上面部は、第２分割補強材の開口部又は切り欠き部の後端側縁部の下面部に重なり合っている。この構造では、内装材が下方に凸状に曲げられる力を受けると、第１分割補強材の上面部が、第２分割補強材の下面部と接触して干渉するから、第１分割補強材と第２分割補強材とが分離しにくくなる。
よって、本発明の分割補強材の接続構造によれば、上下両方向からの荷重に対しても補強材の剛性を高めることができ、車両の内装材の折れを防止できる。
また、第１分割補強材が内装材の裏面側に予め取り付けられた状態で、第２分割補強材が取り付けられる場合において、立ち上がり部と、屈曲部と、は鈍角にて斜めの位置関係とされているときは以下の効果を奏する。すなわち、この場合には、立ち上がり部と、屈曲部と、は鈍角にて斜めの位置関係とされているので、第２分割補強材の開口部又は切り欠き部に、斜め方向から屈曲部を挿入することができ、第２分割補強材の組み付けが容易となる。
また、突出部は、第１分割補強材に一つ設けられている場合は、複数設けられている場合と比べて以下の作用効果を奏する。突出部が複数設けられている場合には、複数の突出部が第２分割補強材の開口部又は切り欠き部に係止されるので、第１分割補強材と第２分割補強材との相対的な位置関係がズレにくくなる。このため、内装材と補強材の熱膨張率が異なることに起因する内装材のシワの発生を抑制しにくい。これに対して、突出部が１つ設けられている場合には、１つの突出部のみが第２分割補強材の開口部又は切り欠き部に係止されるので、第１分割補強材と第２分割補強材との相対的な位置関係に自由度が生じるから、内装材と補強材の熱膨張率が異なることに起因する内装材の折れの発生を効果的に抑制できる。
【図面の簡単な説明】
【０００７】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る分割補強材の接続構造を適用した車両の天井材の概略図である。
【図２】実施例１に係る分割補強材の接続構造の分解斜視図である。
【図３】実施例１に係る分割補強材の接続構造の斜視図である。
【図４】実施例１に係る分割補強材の接続構造の平面図である。
【図５】図４のＩ−Ｉ線断面図である。
【図６】実施例２に係る分割補強材の接続構造の分解斜視図である。
【図７】実施例２に係る分割補強材の接続構造の斜視図である。
【図８】実施例２に係る分割補強材の接続構造の縦断面図である。
【図９】実施例３に係る分割補強材の接続構造の分解斜視図である。
【図１０】実施例３に係る分割補強材の接続構造の斜視図である。
【図１１】実施例３に係る分割補強材の接続構造の縦断面図である。
【図１２】実施例３に係る分割補強材の接続構造の取り付け工程を示す説明図である。
【図１３】実施例３に係る分割補強材の接続構造の取り付け工程を示す説明図である。
【図１４】実施例３に係る分割補強材の接続構造の取り付け工程を示す説明図である。
【図１５】実施例４に係る分割補強材の接続構造の分解斜視図である。
【図１６】実施例５に係る分割補強材の接続構造の分解斜視図である。
【図１７】実施例５に係る分割補強材の接続構造の縦断面図である。
【図１８】実施例６に係る分割補強材の接続構造の分解斜視図である。
【図１９】実施例７に係る分割補強材の接続構造の分解斜視図である。
【図２０】実施例７に係る分割補強材の接続構造の縦断面図である。
【図２１】実施例８に係る分割補強材の接続構造の分解斜視図である。
【図２２】従来技術を説明するための説明図である。
【図２３】従来技術を説明するための説明図である。
【発明を実施するための形態】
【０００８】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本実施形態に係る分割補強材の接続構造（１）は、車両の天井材（３）等の内装材の裏面側に配設され、複数に分割された分割補強材の接続構造である。
この接続構造（１）には、少なくとも、長尺の第１分割補強材（５）と、長尺の第２分割補強材（７）とが備えられている。
第１分割補強材（５）には、長尺方向の一端部（第２分割補強材と接続される端部の先端寄りの位置）に鈎状の突出部（９）が備えられている。突出部（９）は、第１分割補強材（５）の一面から立ち上がる形態の立ち上がり部（１１）と、立ち上がり部（１１）から延びるとともに、立ち上がり部（１１）の立ち上がり方向に対して曲がった屈曲部（１３）と、が備えられている。
第２分割補強材（７）には、長尺方向の一端部（第１分割補強材と接続される端部の先端寄りの位置）に、第１分割補強材（５）の屈曲部（１３）を挿入可能な開口部（１５）又は切り欠き部（１７）が備えられている。
第２分割補強材（７）の開口部（１５）又は切り欠き部（１７）に第１分割補強材（５）の屈曲部（１３）が挿入されて、第２分割補強材（７）の開口部（１５）又は切り欠き部（１７）の先端側縁部（１５Ａ、１７Ａ）に突出部（９）が係止されている。
第１分割補強材（５）の突出部（９）よりも先端側の上面部（５Ａ）は、第２分割補強材（７）の開口部（１５）又は切り欠き部（１７）の後端側縁部（１５Ｂ、１７Ｂ）の下面部（１５Ｃ、１７Ｃ）に重なり合っている。
【００１０】
立ち上がり部（１１）と、屈曲部（１３）とのなす角度θは、特に限定されない。この角度θは、例えば、９０度であることができる。また、立ち上がり部（１１）と屈曲部（１３）とのなす角度θは、例えば、鈍角であることができる。第１分割補強材（５）が内装材の裏面側（３Ａ）に予め取り付けられた状態で、第２分割補強材（７）が取り付けられる場合には、立ち上がり部（１１）と、屈曲部（１３）と、は鈍角にて斜めの位置関係とされていることが好ましい。この場合、角度θは、鈍角であれば特に限定されないが、例えば、９０度＜θ＜１８０度であり、９０度＜θ≦１３５度であることが好ましい。
【００１１】
突出部（９）の個数は特に限定されず、１つであっても複数であってもよい。
本発明では、以下の観点から、突出部（９）は１つであることが好ましい。すなわち、突出部９が１つ設けられている場合には、１つの突出部（９）のみが第２分割補強材（７）の開口部（１５）又は切り欠き部（１７）に係止されるので、第１分割補強材（５）と第２分割補強材（７）との相対的な位置関係に自由度が生じるから、内装材の折れの発生を効果的に抑制できる。
【００１２】
車両用の内装材としては、特に限定されない。例えば、天井材、ドアトリム、ルーフトリム、フロアトリムが挙げられる。また、内装材を構成する材料は、特に限定されない。例えば、ポリプロピレン、ポリウレタン、ポリエチレンテレフタレート等の熱可塑性樹脂と木質繊維、ガラス繊維等の繊維との混合物等を用いることができる。
【００１３】
第１分割補強材（５）、及び第２分割補強材（７）を構成する材料は、特に限定されない。例えば、樹脂や金属等が用いられる。樹脂としては、特に限定されないが、ＡＢＳ、ＰＰ、ノリル、ポリカ、ポリカＡＢＳ、ＰＥ等を用いることができる。
樹脂を用いる場合には、第１分割補強材（５）、及び第２分割補強材（７）の配設場所や必要とされる性能等に応じた樹脂が使用される。この際に、１分割補強材（５）、及び第２分割補強材（７）の樹脂を異なる樹脂としても、同一の樹脂としてもよい。例えば、内装材としての天井材（３）において、剛性を向上させたい部位に配される場合は、剛性の高い樹脂（例えば、ＡＢＳ樹脂等）を用いてもよく、特に衝撃吸収が必要となる部位に配される場合には、衝撃に対して変形・破壊し易く、比較的剛性の低い樹脂（例えば、ＰＰ（ポリプロピレン）樹脂等）を用いることができる。
【００１４】
第１分割補強材（５）、及び第２分割補強材（７）の長さは、長尺状であれば特に限定されず、例えば３００〜７００ｍｍ、好ましくは３００〜５００ｍｍとすることができる。第１分割補強材（５）、及び第２分割補強材（７）の幅は、特に限定されず、例えば４０〜７０ｍｍ、好ましくは５０〜６０ｍｍとすることができる。
【００１５】
なお、上記実施形態で記載した各構成の括弧内の符号は、後述する実施例に記載の具体的構成との対応関係を示すものである。
【実施例】
【００１６】
以下、図面を用いて実施例により本発明を具体的に説明する。なお、図面において、車両の上下方向を「上側」及び「下側」として示す。
【００１７】
＜実施例１＞
（１）分割補強材の接続構造の構成
分割補強材の接続構造１を車両の天井構造１９に適用した例を実施例１として説明する。図１に示すように、天井材３の両側には、それぞれ、長尺の第１分割補強材５、及び第２分割補強材７が前後方向に配設されている。なお、天井材３には、図１に示されるように、アシストグリップ固定部３Ｂ、ルームランプ固定部３Ｃ、サンバイザー固定部３Ｄが備えられている。
天井材３の材質は特に限定されないが、例えば熱可塑性樹脂と木質繊維との混合物よりなる。
実施例１では、図２〜図５に示されるように、天井材３に対する補強材が一体的に構成されているわけではなく、第１分割補強材５と、第２分割補強材７に分割されて構成されている。よって、天井材３に補強材を配設した後、温度変化によって熱膨張又は熱収縮が生じうる状況であっても、第１分割補強材５及び第２分割補強材７が、それぞれ熱膨張又は熱収縮する。
第１分割補強材５、及び第２分割補強材７は、天井材３に対してホットメルト接着剤により接着されている。ホットメルト接着剤としては、例えば、ポリアミド系、ポリオレフィン系、ポリエステル系、合成ゴム系の各種ホットメルト接着剤を用いることができる。
第１分割補強材５、及び第２分割補強材７のいずれも樹脂製とされている。第１分割補強材５や第２分割補強材７は、天井材３とは、熱膨張率が異なる材料で構成されている。
また、第１分割補強材５、及び第２分割補強材７には図２に示されるように、リブ構造が採用されている。
【００１８】
第１分割補強材５は、長尺方向の一端部に鈎状の突出部９が１つ備えられている。突出部９は、第１分割補強材５の上面から略垂直に立ち上がる形態の立ち上がり部１１と、立ち上がり部１１から延びるとともに、立ち上がり部１１の立ち上がり方向１１Ａに対して略直角に曲がった屈曲部１３と、が備えられている。屈曲部１３は、第１分割補強材５の後端側（図５における左側）に向かって延びる形態をしている。
第１分割補強材５は、突出部９よりも更に先端側にも延びている。
【００１９】
第２分割補強材７は、長尺方向の一端部に、第１分割補強材５の屈曲部１３を挿入可能な開口部１５が備えられている。開口部１５は、突出部９の屈曲部１３よりもやや大きく形成されている。
【００２０】
本実施例１の接続構造１では、第２分割補強材７の開口部１５に、第１分割補強材５の屈曲部１３が挿入された状態とされている。第１分割補強材５の突出部９は、第２分割補強材７の開口部１５に引っ掛けられるようにして、開口部１５の先端側縁部１５Ａに係止されている。
第１分割補強材５の突出部９よりも先端側の上面部５Ａは、第２分割補強材７の開口部１５の後端側縁部１５Ｂの下面部１５Ｃに重なり合っている。
【００２１】
（２）分割補強材の接続構造の作用効果
本実施例１の分割補強材の接続構造１によれば、以下の作用効果を奏する。
天井材３の下方からの荷重に対しては、天井材３が上方に凸状に曲げられる力を受けることになる。この場合において、分割補強材の接続構造１では、第１分割補強材５の突出部９は、第２分割補強材７の開口部１５に引っ掛けられるようにして、開口部１５の先端側縁部１５Ａに係止されているから、第１分割補強材５と第２分割補強材７とが分離しにくくなる。
【００２２】
一方、天井材３の上方からの荷重に対しては、天井材３が下方に凸状に曲げられる力を受ける。実施例１の分割補強材の接続構造１では、第１分割補強材５の突出部９よりも先端側の上面部５Ａは、第２分割補強材７の開口部１５の後端側縁部１５Ｂの下面部１５Ｃに重なり合っている。この構造では、天井材３が下方に凸状に曲げられる力を受けると、第１分割補強材５の上面部５Ａが、第２分割補強材７の下面部１５Ｃと接触して干渉するから、第１分割補強材５と第２分割補強材７とが分離しにくくなる。
【００２３】
このように、実施例１の分割補強材の接続構造１によれば、上下両方向からの荷重に対しても補強材の接続部位の剛性を高めることができ、車両の天井材３の折れを防止できる。
その結果、天井材３の製造工程や、天井材３の車両への組付工程において、天井材３の取り扱いが容易になる。
【００２４】
また、本実施例１では、突出部９は、第１分割補強材５に１つのみ設けられているので、複数設けられている場合と比べて以下の作用効果を奏する。すなわち、突出部９が複数設けられている場合には、複数の突出部９が第２分割補強材７の開口部１５に係止されるので、第１分割補強材５と第２分割補強材７との相対的な位置関係がズレにくくなる。このため、天井材３と、補強材（第１分割補強材５及び第２分割補強材７）との熱膨張率が異なることに起因する天井材３のシワの発生を抑制しにくい。これに対して、本実施例１では、突出部９が１つ設けられているので、１つの突出部９のみが第２分割補強材７の開口部１５に係止され、第１分割補強材５と第２分割補強材７との相対的な位置関係に自由度が生じるから、天井材３と補強材の熱膨張率が異なることに起因する天井材３のシワの発生を効果的に抑制できる。
【００２５】
また、実施例１では、第１分割補強材５及び第２分割補強材７は、リブ構造を採用している。よって、第１分割補強材５及び第２分割補強材７は、天井材３の剛性を向上させる補強材としての役割を果たすと共に、例えば車内の乗員の頭部が天井材３に衝突したときに加わる衝撃に対して変形や破壊されて、衝撃を吸収する衝撃吸収材としての役割も果たす。
【００２６】
＜実施例２＞
次に、実施例２に係る分割補強材の接続構造１を図６〜図８を参照しつつ説明する。なお、実施例２の分割補強材の接続構造１において、上記実施例１の分割補強材の接続構造と略同じ構成部位には同符号を付けて、構造、作用及び効果の説明は省略する。実施例２では、次の点が、実施例１と相違している。すなわち、実施例２では、第１分割補強材５には、突出部９が２つ備えられている。第２分割補強材７には、上記実施例１の開口部１５に代えて、切り欠き部１７が備えられている。切り欠き部１７は、２つの突出部９に対応して２つ備えられている。
【００２７】
本実施例２の接続構造１では、第２分割補強材７の切り欠き部１７に、第１分割補強材５の屈曲部１３が挿入された状態とされている。第１分割補強材５の２つの突出部９は、それぞれ第２分割補強材７の２つの切り欠き部１７に引っ掛けられるようにして、切り欠き部１７の先端側縁部１７Ａに係止されている。そして、第１分割補強材５の突出部９よりも先端側の上面部５Ａは、第２分割補強材７の切り欠き部１７の後端側縁部１７Ｂの下面部１７Ｃに重なり合っている。
【００２８】
実施例２の分割補強材の接続構造１によれば、以下の作用効果を奏する。天井材３の下方からの荷重に対しては、天井材３が上方に凸状に曲げられる力を受けることになる。この場合において、分割補強材の接続構造１では、第１分割補強材５の突出部９は、第２分割補強材７の切り欠き部１７に引っ掛けられるようにして、切り欠き部１７の先端側縁部１７Ａに係止されているから、第１分割補強材５と第２分割補強材７とが分離しにくくなる。
【００２９】
＜実施例３＞
次に、実施例３に係る分割補強材の接続構造１を、図９〜図１４を参照しつつ説明する。なお、実施例３の分割補強材の接続構造１において、上記実施例１の分割補強材の接続構造と略同じ構成部位には同符号を付けて、構造、作用及び効果の説明は省略する。実施例３では、次の点が、実施例１と相違している。すなわち、実施例３では、突出部９において、立ち上がり部１１と、屈曲部１３と、は鈍角にて斜めの位置関係とされている。
【００３０】
次に、実施例３の作用効果について説明する。実施例３では、まず、図１２に示されるように、第１分割補強材５を天井材３の裏面側にホットメルト接着剤等を用いて予め取り付ける。その後、第２分割補強材７を天井材３の裏面側にホットメルト接着剤等を用いて取り付ける。
この第２分割補強材７の取り付けの際に、図１３及び図１４に示されるように、第２分割補強材７の開口部１５に、斜め方向から屈曲部１３を挿入することができるので、第２分割補強材７の組み付けが容易となる。
【００３１】
＜実施例４＞
次に、実施例４に係る分割補強材の接続構造１を、図１５を参照しつつ説明する。なお、実施例４の分割補強材の接続構造１において、上記実施例３の分割補強材の接続構造と略同じ構成部位には同符号を付けて、構造、作用及び効果の説明は省略する。実施例４では、次の点が、実施例３と相違している。すなわち、実施例４では、第１分割補強材５には、突出部９が２つ備えられている。第２分割補強材７には、上記実施例３の開口部１５に代えて、切り欠き部１７が備えられている。切り欠き部１７は、２つの突出部９に対応して２つ備えられている。
【００３２】
＜実施例５＞
次に、実施例５に係る分割補強材の接続構造１を図１６及び図１７を参照しつつ説明する。なお、実施例５の分割補強材の接続構造１において、上記実施例１の分割補強材の接続構造と略同じ構成部位には同符号を付けて、構造、作用及び効果の説明は省略する。実施例５では、次の点が、実施例１と相違している。すなわち、実施例５では、第１分割補強材５及び第２分割補強材７が共に金属から構成されている。
実施例５では、第１分割補強材５及び第２分割補強材７が共に金属から構成されているから、薄くても剛性を高めることができ、天井材３の裏面側にコンパクトに取り付けることができる。
【００３３】
＜実施例６＞
次に、実施例６に係る分割補強材の接続構造１を、図１８を参照しつつ説明する。なお、実施例６の分割補強材の接続構造１において、上記実施例２の分割補強材の接続構造と略同じ構成部位には同符号を付けて、構造、作用及び効果の説明は省略する。実施例６では、次の点が、実施例２と相違している。すなわち、実施例６では、第１分割補強材５及び第２分割補強材７が共に金属から構成されている。
実施例６では、第１分割補強材５及び第２分割補強材７が共に金属から構成されているから、薄くても剛性を高めることができ、天井材３の裏面側にコンパクトに取り付けることができる。
【００３４】
＜実施例７＞
次に、実施例７に係る分割補強材の接続構造１を、図１９及び図２０を参照しつつ説明する。なお、実施例７の分割補強材の接続構造１において、上記実施例３の分割補強材の接続構造と略同じ構成部位には同符号を付けて、構造、作用及び効果の説明は省略する。実施例７では、次の点が、実施例３と相違している。すなわち、実施例６では、第１分割補強材５及び第２分割補強材７が共に金属から構成されている。
実施例７では、第１分割補強材５及び第２分割補強材７が共に金属から構成されているから、薄くても剛性を高めることができ、天井材３の裏面側にコンパクトに取り付けることができる。
【００３５】
＜実施例８＞
次に、実施例８に係る分割補強材の接続構造１を、図２１を参照しつつ説明する。なお、実施例８の分割補強材の接続構造１において、上記実施例４の分割補強材の接続構造と略同じ構成部位には同符号を付けて、構造、作用及び効果の説明は省略する。実施例８では、次の点が、実施例４と相違している。すなわち、実施例８では、第１分割補強材５及び第２分割補強材７が共に金属から構成されている。
実施例８では、第１分割補強材５及び第２分割補強材７が共に金属から構成されているから、薄くても剛性を高めることができ、天井材３の裏面側にコンパクトに取り付けることができる。
【００３６】
尚、本発明においては、上記実施例に限られず、目的、用途に応じて本発明の範囲内で種々変更した実施例とすることができる。
【００３７】
上記実施例では、第２分割補強材７の開口部１５の形状は、略矩形状としたが、その形状は、第１分割補強材５の屈曲部１３を挿入可能な形状であれば特に限定されない。
【００３８】
上記実施例では、第１分割補強材５、及び第２分割補強材７は、天井材３に対してホットメルト接着剤により接着されていることとしたが、取り付け方法は特に限定されない。例えば、各種の接着剤による接着や、ネジによる取り付け等が挙げられる。
【００３９】
上記実施例では、突出部９は、１つ又は２つとしているが、その個数は特に限定されず、３つ以上であってもよい。また、突出部９の形状、配置形態等は、開口部１５や切り欠き部１７への差込性等を考慮して適宜選択できる。
【００４０】
上記実施例では、天井材としての内装材に本発明を適用した場合を説明したが、天井材に限らず、ドアトリム、ルーフトリム、フロアトリム等の内装材に適用してもよい。
【００４１】
上記実施例では、第１分割補強材５、及び第２分割補強材７は、特定の材質からなるものを例示して説明したが、これらの補強材は、配設場所や必要とされる性能等に応じて種類の異なる材質を使い分けることができ、様々な構成に対応することができる。
【００４２】
上記実施例では、樹脂製の第１分割補強材５、及び第２分割補強材７を用いる場合には、リブ構造が採用されたものを例示したが、リブ構造の有無は、目的に応じて適宜選択できる。
【００４３】
上記実施例では、第１分割補強材５、及び第２分割補強材７の２つの分割補強材を用いた場合を説明したが、分割補強材の個数は、３以上であってもよく、適宜選択できる。
【００４４】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４５】
本発明は上記で詳述した実施形態に限定されず、本発明の請求項に示した範囲で様々な変形または変更が可能である。
【産業上の利用可能性】
【００４６】
乗用車、バス、トラック等の他、列車、汽車等の鉄道車両、建設車両、農業車両、産業車両などの車両の内装材に関する技術として広く利用される。
【符号の説明】
【００４７】
１；接続構造、３；天井材、３Ａ；裏面側、３Ｂ；アシストグリップ固定部、３Ｃ；ルームランプ固定部、３Ｄ；サンバイザー固定部、５；第１分割補強材、５Ａ；先端側の上面部、７；第２分割補強材、９；突出部、１１；立ち上がり部、１１Ａ；立ち上がり方向、１３；屈曲部、１５；開口部、１５Ａ；先端側縁部、１５Ｂ；後端側縁部、１５Ｃ；下面部、１７；切り欠き部、１７Ａ；先端側縁部、１７Ｂ；後端側縁部、１７Ｃ；下面部、１９；天井構造、１００；内装材、１０１；補強材、１０３；補強材。
【図１】
2015140092.tif 000003
【図２】
2015140092.tif 000004
【図３】
2015140092.tif 000005
【図４】
2015140092.tif 000006
【図５】
2015140092.tif 000007
【図６】
2015140092.tif 000008
【図７】
2015140092.tif 000009
【図８】
2015140092.tif 000010
【図９】
2015140092.tif 000011
【図１０】
2015140092.tif 000012
【図１１】
2015140092.tif 000013
【図１２】
2015140092.tif 000014
【図１３】
2015140092.tif 000015
【図１４】
2015140092.tif 000016
【図１５】
2015140092.tif 000017
【図１６】
2015140092.tif 000018
【図１７】
2015140092.tif 000019
【図１８】
2015140092.tif 000020
【図１９】
2015140092.tif 000021
【図２０】
2015140092.tif 000022
【図２１】
2015140092.tif 000023
【図２２】
2015140092.tif 000024
【図２３】
2015140092.tif 000025